(57)【要約】  【課題】  顔、頭、ボディ（体幹部）への美容効果を高めることができる新規なシャワー器具の吐水方法およびシャワー器具を用いたマッサージ方法ならびにマッサージ用シャワー器具セットを提供すること。  【解決手段】  顔をマッサージするためのミスト水流吐水と頭をマッサージするためのピンポイント水流吐水と通常のシャワー水流吐水とに切換え可能にしたフェイスケア用シャワー器具Ｄと、リンパを流す準備を行うためのストレート水流吐水とリンパドレナージュを行うためのフラット水流吐水と通常のシャワー水流吐水とに切換え可能にしたボディケア用シャワー器具Ｄ’とを備えている。【選択図】  図１
2013236795.tif 000002
【特許請求の範囲】
【請求項１】
フェイスケア用シャワー器具を用いて、そのミスト水流吐水で顔をマッサージし、ピンポイント水流吐水で頭をマッサージし、通常のシャワー水流吐水で顔及び頭を洗浄するとともに、
ボディケア用シャワー器具を用いて、そのストレート水流吐水でリンパを流す準備を行い、フラット水流吐水でリンパドレナージュを行い、通常のシャワー水流吐水でボディを洗浄する
ことを特徴とするシャワー器具の吐水方法。
【請求項２】
フェイスケア用シャワー器具を用いて、そのミスト水流吐水で顔をマッサージし、ピンポイント水流吐水で頭をマッサージし、通常のシャワー水流吐水で顔及び頭を洗浄してフェイスケアを行い、
ボディケア用シャワー器具を用いて、そのストレート水流吐水でリンパを流す準備を行い、フラット水流吐水でリンパドレナージュを行い、通常のシャワー水流吐水でボディを洗浄してボディケアを行う
ことを特徴とするシャワー器具を用いたマッサージ方法。
【請求項３】
請求項１または２に記載の方法に使用するシャワー器具セットであって、  顔をマッサージするためのミスト水流吐水と頭をマッサージするためのピンポイント水流吐水と通常のシャワー水流吐水とに切換え可能にしたフェイスケア用シャワー器具と、  リンパを流す準備を行うためのストレート水流吐水とリンパドレナージュを行うためのフラット水流吐水と通常のシャワー水流吐水とに切換え可能にしたボディケア用シャワー器具と
を備えたマッサージ用シャワー器具セット。
【請求項４】
前記フェイスケア用シャワー器具はヘッドとグリップを有するシャワーヘッドを備え、
前記ヘッドは、複数のミスト水流吐水穴と複数の通常のシャワー穴と複数のピンポイント水流吐水穴とが外周側から中心部に向かってこの順に形成されている平面視円形の前面を有するシャワーキャップを備えており、
前記シャワーヘッドの前記グリップの中心軸の曲率半径を１２０〜１８０ｍｍに設定して前記グリップを内向きに曲げて形成してあり、また、前記グリップの長さを７２〜８３ｍｍに設定してあり、また、前記シャワーキャップの前記前面の面積を４０〜５０ｃｍ2 に設定してあり、さらに、  前記複数のミスト水流吐水穴は、前記シャワーキャップの前記前面における一つの円周上に等間隔に配置されており、前記各ミスト水流吐水穴はその直径が０．５〜１．５ｍｍであり、前記ミスト水流吐水穴の数は２５〜３５個であり、円周角で１８０°の対向する位置にある二つのミスト水流吐水穴間の距離は５５〜９０ｍｍに設定されており、
また、前記複数のピンポイント水流吐水穴は、ピンポイント水流の径が９〜１６ｍｍの散水範囲となるよう前記シャワーキャップの中心のまわりに放射状に３８〜５３個配置されており、前記各ピンポイント水流吐水穴の孔径は０．５〜０．９ｍｍであり、ピンポイント水流の吐水量は３．０〜６．０（リットル／分）に設定されているとともに、ピンポイント水流の動水圧は０．１〜０．３ＭＰａに設定されている一方、
前記ボディケア用シャワー器具はヘッドとグリップを有するシャワーヘッドを備え、前記ヘッドは、四つの同一形状のコ字型形状辺部によって平面視十字型に形成された単一のストレート水流吐水穴と、単一のフラット水流吐水穴と、複数の通常のシャワー穴とが形成されている平面視円形の前面を有するシャワーキャップを備えており、さらに、前記ストレート水流吐水穴の中心を通る穴径は４．０〜６．０ｍｍで、かつ前記各コ字型形状辺部を構成する三辺は同一長さであり、その長さは２〜３ｍｍであり、また、前記フラット水流吐水穴は平面視矩形に形成されており、かつ前記フラット水流吐水穴の前記前面における径方向に沿う長辺の長さは４〜６ｍｍであり、前記長辺に直角な短辺の長さは２〜３ｍｍであるとともに、前記ストレート水流吐水穴の中心と前記フラット水流吐水穴の中心は一つの円周上において所定間隔を有して位置している請求項３に記載のマッサージ用シャワー器具セット。
【発明の詳細な説明】
【技術分野】
【０００１】
本発明は、シャワー器具の吐水方法およびシャワー器具を用いたマッサージ方法ならびにマッサージ用シャワー器具セットに関するものである。
【背景技術】
【０００２】
例えば顔をマッサージすることにより美容効果を高める美容マッサージの方法として、従来から手を用いて行う方法や、下記特許文献１および特許文献２に示すように、顔に対する刺激効果を活性させるためコルクボールおよびフェイスブラシのようなマッサージ用具をそれぞれ用いる技術が知られている。
【先行技術文献】
【特許文献】
【０００３】
【特許文献１】特開２０１１−６２２９６号公報
【特許文献２】特開２００９−２９７２０９号公報
【発明の概要】
【発明が解決しようとする課題】
【０００４】
しかしながら、手を用いて行うマッサージは勿論のこと、特許文献１に示す顔のマッサージ方法や特許文献２に示す顔のリフトマッサージ方法のようにマッサージ用具を用いて行う顔のマッサージでは、人的疲労が発生したりマッサージにおける手やマッサージ用具の加圧強度が安定し難いことから、美容効果が低いといった課題がある。
【０００５】
本発明は、顔、頭、ボディ（体幹部）への美容効果を高めることができる新規な新規なシャワー器具の吐水方法およびシャワー器具を用いたマッサージ方法ならびにマッサージ用シャワー器具セットを提供するものである。
【課題を解決するための手段】
【０００６】
上記目的を達成するために、本発明のシャワー器具の吐水方法は、フェイスケア用シャワー器具を用いて、そのミスト水流吐水で顔をマッサージし、ピンポイント水流吐水で頭をマッサージし、通常のシャワー水流吐水で顔及び頭を洗浄するとともに、
ボディケア用シャワー器具を用いて、そのストレート水流吐水でリンパを流す準備を行い、フラット水流吐水でリンパドレナージュを行い、通常のシャワー水流吐水でボディを洗浄することを特徴としている（請求項１）。
【０００７】
また、本発明は別の観点から、フェイスケア用シャワー器具を用いて、そのミスト水流吐水で顔をマッサージし、ピンポイント水流吐水で頭をマッサージし、通常のシャワー水流吐水で顔及び頭を洗浄してフェイスケアを行い、
ボディケア用シャワー器具を用いて、そのストレート水流吐水でリンパを流す準備を行い、フラット水流吐水でリンパドレナージュを行い、通常のシャワー水流吐水でボディを洗浄してボディケアを行う
ことを特徴とするシャワー器具を用いたマッサージ方法を提供する（請求項２）。
【０００８】
また、本発明はさらに別の観点から、請求項１または２に記載の方法に使用するシャワー器具セットであって、  顔をマッサージするためのミスト水流吐水と頭をマッサージするためのピンポイント水流吐水と通常のシャワー水流吐水とに切換え可能にしたフェイスケア用シャワー器具と、  リンパを流す準備を行うためのストレート水流吐水とリンパドレナージュを行うためのフラット水流吐水と通常のシャワー水流吐水とに切換え可能にしたボディケア用シャワー器具と
を備えたマッサージ用シャワー器具セットを提供する（請求項３）。
【０００９】
また、本発明は、前記フェイスケア用シャワー器具はヘッドとグリップを有するシャワーヘッドを備え、
前記ヘッドは、複数のミスト水流吐水穴と複数の通常のシャワー穴と複数のピンポイント水流吐水穴とが外周側から中心部に向かってこの順に形成されている平面視円形の前面を有するシャワーキャップを備えており、
前記シャワーヘッドの前記グリップの中心軸の曲率半径を１２０〜１８０ｍｍに設定して前記グリップを内向きに曲げて形成してあり、また、前記グリップの長さを７２〜８３ｍｍに設定してあり、また、前記シャワーキャップの前記前面の面積を４０〜５０ｃｍ2 に設定してあり、さらに、  前記複数のミスト水流吐水穴は、前記シャワーキャップの前記前面における一つの円周上に等間隔に配置されており、前記各ミスト水流吐水穴はその直径が０．５〜１．５ｍｍであり、前記ミスト水流吐水穴の数は２５〜３５個であり、円周角で１８０°の対向する位置にある二つのミスト水流吐水穴間の距離は５５〜９０ｍｍに設定されており、
また、前記複数のピンポイント水流吐水穴は、ピンポイント水流の径が９〜１６ｍｍの散水範囲となるよう前記シャワーキャップの中心のまわりに放射状に３８〜５３個配置されており、前記各ピンポイント水流吐水穴の孔径は０．５〜０．９ｍｍであり、ピンポイント水流の吐水量は３．０〜６．０（リットル／分）に設定されているとともに、ピンポイント水流の動水圧は０．１〜０．３ＭＰａに設定されている一方、
前記ボディケア用シャワー器具はヘッドとグリップを有するシャワーヘッドを備え、前記ヘッドは、四つの同一形状のコ字型形状辺部によって平面視十字型に形成された単一のストレート水流吐水穴と、単一のフラット水流吐水穴と、複数の通常のシャワー穴とが形成されている平面視円形の前面を有するシャワーキャップを備えており、さらに、前記ストレート水流吐水穴の中心を通る穴径は４．０〜６．０ｍｍで、かつ前記各コ字型形状辺部を構成する三辺は同一長さであり、その長さは２〜３ｍｍであり、また、前記フラット水流吐水穴は平面視矩形に形成されており、かつ前記フラット水流吐水穴の前記前面における径方向に沿う長辺の長さは４〜６ｍｍであり、前記長辺に直角な短辺の長さは２〜３ｍｍであるとともに、前記ストレート水流吐水穴の中心と前記フラット水流吐水穴の中心は一つの円周上において所定間隔を有して位置している請求項３に記載のマッサージ用シャワー器具セットを提供する（請求項４）。
【発明の効果】
【００１０】
本発明は、美容のための顔、頭および／またはボディ（体幹部）へのシャワー器具の吐水方法およびシャワー器具を用いたマッサージ方法ならびにマッサージ用シャワー器具セットであって、顔および頭をマッサージする、いわゆるフェイスケアについては、本発明では顔および頭に刺激を与え、その刺激効果を安定して活性化させて美容効果を高めるためのフェイスケア用シャワー器具を用いている。すなわち、本発明では、前記フェイスケア用シャワー器具に、顔のマッサージと頭のマッサージに適した特定の複数の水流吐水モード（顔をマッサージするミスト水流吐水モードと頭をマッサージするピンポイント水流吐水モード）を切換え可能に設けたので、顔および頭への刺激効果を、手やマッサージ用具を用いて行われている従来のマッサージにおける顔および頭への刺激効果に比べてより高めることができる。
【００１１】
さらに、本発明では、前記フェイスケア用シャワー器具に、通常のシャワー水流吐水モード、前記ミスト水流吐水モード、前記ピンポイント水流吐水モードを切換え可能に設けたので、ミスト水流吐水で顔をマッサージし、ピンポイント水流吐水で頭をマッサージした後、前記通常のシャワー水流吐水で顔及び頭を洗浄することができる。すなわち、本発明では、前記フェイスケアとしてミスト水流吐水モード、ピンポイント水流吐水モード、通常のシャワー水流吐水モードを切換え可能に備えたフェイスケア用シャワー器具を用い、これら複数の水流吐水モードの組み合わせによって顔および頭への刺激と顔および頭への洗浄が同時に行えるので、時間短縮を図りながらフェイスケアによる美容効果を高めることができる。
【００１２】
また、ボディ（体幹部）をマッサージするボディケアについては、本発明ではボディ（体幹部）のリンパに刺激を与え、その刺激効果を安定して活性化させて美容効果を高めるためにボディケア用シャワー器具を用いている。すなわち、本発明では、前記ボディケア用シャワー器具に、ボディ（体幹部）のマッサージに適した特定の複数の水流吐水モード（リンパドレナージュの前に実施するためのストレート水流吐水モードとリンパドレナージュを行うためのフラット水流吐水モード）を切換え可能に設けたので、ボディ（体幹部）への刺激効果を、手やマッサージ用具を用いて行われている従来のマッサージにおけるボディ（体幹部）への刺激効果に比べてより高めることができる。なお、リンパは加齢で流れ難くなり、刺激がないと女性ホルモンは分泌し難いので、本発明の前記ボディケア用シャワー器具によるシャワーは刺激になるとともに、３６〜３８℃でリパーゼ（脂肪分解酵素）が活発になるので、シャワーの温度を３６〜３８℃に設定すればシャワーによるマッサージは効果的である。
【００１３】
さらに、本発明では、前記ボディケア用シャワー器具に、通常のシャワー水流吐水モード、前記ストレート水流吐水モード、前記フラット水流吐水モードを切換え可能に設けたので、ストレート水流吐水でリンパを流す準備を行い、フラット水流吐水でリンパドレナージュを行った後、前記通常のシャワー水流吐水でボディ（体幹部）を洗浄することができる。すなわち、本発明では、前記ボディケアとしてストレート水流吐水モード、フラット水流吐水モード、通常のシャワー水流吐水モードを切換え可能に備えたボディケア用シャワー器具を用い、これら複数の水流吐水モードの組み合わせによってボディ（体幹部）への刺激とボディ（体幹部）への洗浄が同時に行えるので、時間短縮を図りながらボディケアによる美容効果を高めることができる。
【図面の簡単な説明】
【００１４】
【図１】（Ａ）は、この発明の一実施形態で用いるフェイスケア用シャワー器具のシャワーヘッドにおける通常のシャワー水流吐水の状態を示す断面図である。（Ｂ）は、上記シャワーヘッドのシャワーキャップ（シャワー板）の前面を示す平面図である。（Ｃ）は、上記シャワーヘッドにおける通常のシャワー水流吐水の状態を示す断面図である。（Ｄ）は、上記シャワーヘッドにおける通常のシャワー水流吐水の状態を示す断面図である。
【図２】上記実施形態で用いるフェイスケア用シャワー器具のシャワーヘッドにおけるミスト水流吐水の状態を示す構成説明図である。
【図３】上記実施形態で用いるフェイスケア用シャワー器具のシャワーヘッドにおけるピンポイント水流吐水（スカルプ水流吐水とも、また、スポット水流吐水とも呼ばれる）の状態を示す構成説明図である。
【図４】上記実施形態で用いるフェイスケア用シャワー器具のシャワーヘッドにおける通常のシャワー水流吐水の状態を示す構成説明図である。
【図５】（Ａ）は、上記実施形態において、洗顔後のすすぎ時に実施する使用者の動作手順（ミスト水流吐水を用いた例えば３０秒間のシャワー手順）を示す図である。（Ｂ）は、上記実施形態において、パックの後のすすぎ時に実施する使用者の動作手順（ミストミスト水流吐水を用いた例えば６０秒間のシャワー手順）を示す図である。
【図６】上記実施形態において、毎シャンプー時に実施するピンポイント水流吐水の使用状態を示す図である。
【図７】（Ａ）は、上記実施形態で用いるボディケア用シャワー器具のシャワーヘッドの断面図である。（Ｂ）は、上記実施形態で用いるシャワーヘッドにおけるシャワーキャップ（シャワー板）の前面を示す平面図である。（Ｃ）は、上記実施形態で用いるシャワーヘッドの断面図である。（Ｄ）は、上記実施形態で用いるシャワーヘッドの断面図である。（Ｅ）は、上記実施形態で用いるシャワーヘッドに形成されたストレート水流吐水穴を示す平面図である。（Ｆ）は、上記実施形態で用いるシャワーヘッドに形成されたフラット水流吐水穴を示す平面図である。
【図８】上記実施形態で用いるボディケア用シャワー器具のシャワーヘッドにおけるストレート水流吐水の状態を示す構成説明図である。
【図９】上記実施形態で用いるボディケア用シャワー器具のシャワーヘッドにおけるフラット水流吐水の状態を示す構成説明図である。
【図１０】上記実施形態で用いるボディケア用シャワー器具のシャワーヘッドにおける通常のシャワー水流吐水の状態を示す構成説明図である。
【図１１】（Ａ）および（Ｂ）は、それぞれ、上記実施形態において、リンパを流す準備のために実施する使用者の動作手順を示す図である。
【図１２】（Ａ）および（Ｂ）は、それぞれ、上記実施形態において、リンパドレナージュを行うために実施する使用者の動作手順を示す図である。
【発明を実施するための形態】
【００１５】
以下、本発明の一実施形態について説明する。図１〜図４は、マッサージ用シャワー器具の一例としてのフェイスケア用シャワー器具のシャワーヘッドＤを示し、このシャワーヘッドＤは、顔をマッサージするためのミスト水流吐水と頭をマッサージするためのピンポイント水流吐水と通常のシャワー水流吐水とに切換え可能に構成されている。なお、図１と図４は、通常のシャワー水流吐水モードを示し、図４において二点鎖線で示す流路Ｓは通常のシャワー水流ａを吐水する通常のシャワー水流吐水路である。図２はミスト水流吐水モードを示し、図２において点線で示す流路Ｍはミスト水流ｂを吐水するミスト水流吐水路である。図３はピンポイント水流吐水モードを示し、図３において実線で示す流路Ｐはピンポイント水流ｃを吐水するピンポイント水流吐水路である。図１〜図４において、シャワーヘッドＤは、シャワーホースＧを介して水栓（例えば湯水混合水栓）（図示せず）に接続されている。１は、シャワーヘッド本体で、ヘッド１ａとグリップ１ｂより構成されている。そして、この発明では、曲面が多い使用者のフェイスに通常のシャワー水流やミスト水流やピンポイント水流のシャワーを当てやすいように、すなわち、使用者がこまめにシャワーヘッドＤを動かし易くできるように、それでいて好適なシャワー効果をも得ることができるように、ヘッド１ａの大きさとグリップ１ｂの内向きの曲率（曲げ形状）とグリップ１ｂの長さＷ（後述する）が設定されている。例えば、グリップ１ｂが図１（Ａ）に示すように内向きに曲がっていることにより、曲面が多い使用者のフェイスにシャワーを当てやすくできる。すなわち、グリップ１ｂが図１（Ａ）に示すように内向きに曲がっていることで、顔側面、顔後面にシャワーを当てやすい。この発明では、前記グリップ１ｂの上面（表面）Ｖの曲率半径（Ｒ１）〔図１（Ａ）参照〕を１１０〜１３０ｍｍに設定して前記グリップ１ｂの上面（表面）Ｖを内向きに曲げて形成してあり、１２０ｍｍが好ましい。また、この発明では、前記グリップ１ｂの下面（裏面）Ｖ’の曲率半径（Ｒ２）〔図１（Ａ）参照〕を１７０〜１９０ｍｍに設定して前記グリップ１ｂの下面（裏面）Ｖ’を内向きに曲げて形成してあり、１８０ｍｍが好ましい。また、この発明では、前記グリップの中心軸Ｘの曲率半径（ＲＡ）〔図１（Ａ）参照〕を１２０〜１８０ｍｍに設定して前記グリップ１ｂを内向きに曲げて形成してあり、この実施形態では、中心軸Ｘの曲率半径（ＲＡ）は１３０ｍｍである。中心軸Ｘの曲率半径（ＲＡ）が１２０ｍｍよりも小さいと、グリップ１ｂが内向きに極端に曲げらることになるので、シャワーヘッドＤを例えば浴室の壁に設けたフックに掛けるときに掛かりにくくなるおそれがある。なお、図１（Ａ）において、水栓（図示せず）から供給される湯水または水の吐水流路ｉを形成するグリップ１ｂの内部上面領域の曲率半径（ＲＢ）は１３０〜１４０ｍｍであり、１３７ｍｍが好ましく、また、前記吐水流路ｉを形成するグリップ１ｂの内部下面領域の曲率半径（ＲＣ）は１２０〜１３０ｍｍであり、１２３ｍｍが好ましい。また、グリップ１ｂの長さＷ、すなわち、図１（Ａ）においてグリップ１ｂの上面（表面）Ｖにおける領域Ｙ〜Ｚ間の前記吐水流路ｉに沿った長さＷをこの発明では通常のマッサージ機能付ハンドシャワのグリップの長さよりも短い７２〜８３ｍｍに設定してある。ここで、７２〜８３ｍｍは、人体寸法統計における男女２０才代〜６４才代の手の幅（親指から小指にかけての長さ）に相当し、グリップ１ｂの長さＷを使用者の手の幅に短く設定することで、使用者がこまめにシャワーヘッドＤを動かし易くできることに寄与することができる。そして、図１（Ｂ）に示すようにヘッド１ａの大きさ、特にシャワーキャップ（シャワー板）２１の平面視円形の前面２１ａの面積を通常のマッサージ機能付ハンドシャワのシャワー板の平面視円形の前面の面積（２０〜３８ｃｍ2 ）よりも大きくすることにより、好適なシャワー効果を得ることができる。この発明では、前記シャワーキャップ２１の前記前面２１ａの面積を４０〜５０ｃｍ2 に設定してあり、この実施形態では４３ｃｍ2 に設定している。要するに、この発明では、グリップ１ｂを内向きに曲げて形成するとともに、グリップ１ｂの長さＷを通常のマッサージ機能付ハンドシャワに比べて短くし、さらに、シャワーキャップ（シャワー板）２１の平面視円形の前面２１ａの面積を通常のマッサージ機能付ハンドシャワに比べて大きくすることにより使用者はこまめにシャワーヘッドＤを動かし易くすることができるとともに、曲面（例えば目もとや鼻もとなど凹凸の部分）が多い使用者のフェイスにシャワーを当てやすくすることができ、好適なシャワー効果を得ることができる。２は、スプリング、４は、切換ハンドル、５は、オーリング、６は、切換部材、７は、十字穴付のタッピングねじ、８は、スプリング、９は、オーリング、１０は、切換弁である。１１は、Ｙパッキン、１２は、切換弁１０をガイドする切換ガイド部材、１３は、オーリング、１４は、シートパッキン、１５は、切換ディスク、１６，１７は、オーリング、１８は、流路パーツ、１９は、噴霧ガイド、２０は、オーリング、２１は、シャワーキャップ（シャワー板）、２２は、前記各モードを表示するための表示リング、２３は、ストッパー、２４は、オーリングである。そして、シャワーキャップ（シャワー板）２１は、ストッパー２３によってシャワーヘッド本体１の前面にミスト水流吐水状態とピンポイント水流吐水状態と通常のシャワー水流吐水状態の切換えが可能なように固定されている。そして、ミスト水流吐水モードでは、図２に示すように切換弁１０に設けられている弁孔ｍと切換ディスク１５に設けられている連通孔ｎを介して、水栓（図示せず）から供給される湯水または水の吐水流路ｉと、シャワーキャップ（シャワー板）２１の平面視円形の前面２１ａに形成されている複数のミスト水流吐水穴Ｈとを連通させるためのミスト水流吐水流路Ｍがシャワーヘッド本体１内に形成されている。また、ピンポイント水流吐水モードでは、図３に示すように切換弁１０に設けられている弁孔ｍ’と切換ディスク１５に設けられている連通孔ｎ’を介して、水栓（図示せず）から供給される湯水または水の吐水流路ｉと、シャワーキャップ（シャワー板）２１の前面２１ａに形成されている複数のピンポイント水流吐水穴ｈを連通させるためのピンポイント水流吐水流路Ｐがシャワーヘッド本体１内に形成されている。また、顔及び頭を洗浄する通常のシャワー水流吐水モードでは、図４に示すように切換弁１０に設けられている弁孔ｍ’’と切換ディスク１５に設けられている連通孔ｎ’’を介して、水栓（図示せず）から供給される湯水または水の吐水流路ｉと、シャワーキャップ（シャワー板）２１の前面２１ａに形成されている複数のシャワー穴ｆを連通させるための通常のシャワー水流吐水流路Ｓがシャワーヘッド本体１内に形成されている。すなわち、切換弁１０が切換ディスク１５上において図２に示すような位置にあるときはミスト水流吐水状態であり、この状態から、切換弁１０を例えば時計回り方向に回動させて切換弁１０が切換ディスク１５上において図３に示すような位置にあるときはピンポイント水流吐水状態となり、この状態から、切換弁１０を例えば時計回り方向に回動させて切換弁１０が切換ディスク１５上において図４に示すような位置にあるときは通常のシャワー水流吐水状態となる。
【００１６】
この実施形態では、フェイスケア用シャワー器具のシャワーヘッドＤを用いて、そのミスト水流吐水で顔をマッサージし、ピンポイント水流吐水で頭をマッサージし、通常のシャワー水流吐水で顔及び頭を洗浄する。
【００１７】
〔ミスト水流吐水モード〕
ミスト水流による肌に負担のない充分なすすぎをすることで、洗顔料の残留による肌荒れやニキビを予防するため使用者は、フェイスケア用シャワー器具としてのフェイスケア用シャワーヘッドＤを用いてミスト水流ｂでフェイスケアを行う。この発明では、流径の細かいミストｂを形成するためシャワーキャップ（シャワー板）２１の平面視円形の前面２１ａに直径０．５ｍｍ〜１．５ｍｍの穴を開ける。この実施形態では、シャワーキャップ（シャワー板）２１の前面２１ａに直径１ｍｍの穴径を開け、流量確保のために複数個のミスト水流吐水穴Ｈがシャワーキャップ（シャワー板）２１の前面２１ａの一つの円周上に等間隔に配置されている。その穴Ｈの数は、この発明では２５個〜３５個が好ましく、この実施形態では３０個に設定している。また、ミスト水流ｂの広がりを良くするため（ミスト水流ｂの広がりを広範囲にするため）前記円周上に均一に前記ミスト水流吐水穴Ｈを配置している。これにより、流径の細かいミスト水流吐水を行いながら給湯器の着火不具合を発生させない吐水量を維持している。その吐水量としては、この発明では、３．０Ｌ／min （リットル／分）〜８Ｌ／min （リットル／分）が好ましく、この実施形態では５．２Ｌ／min （リットル／分）に設定している。このように、実施形態では、ミスト水流ｂの流径を細かくして広範囲にミスト水流ｂを吐出することで、水の勢いが分散され、目・鼻腔・口に当たる刺激を軽減し、肌に負担のないすすぎができる。例えば洗顔の際、手洗いだと目もとや鼻もとなど凹凸の部分に洗顔料が残る場合があるが、ミスト水流ｂの流径を細かくして広範囲にミスト水流ｂを吐出することで、前記凹凸の部分にミスト水流ｂが入り込めるので、確実に洗顔料の残留物を洗い落とすことができる。さらに、円周角で１８０°の位置にあるミスト水流吐水穴Ｈの中心Ｏ’およびミスト水流吐水穴Ｈの中心Ｏ’’間の径（前記中心Ｏ’からシャワーキャップ（シャワー板）２１の前面２１ａの中心Ｏを通りミスト水流吐水穴Ｈの中心Ｏ’’に至る長さ）Ｌは、この発明では、５５ｍｍ〜９０ｍｍが好ましく、この実施形態では、Ｌを７４．７ｍｍに設定している。また、切換ハンドル４は、図１（Ｂ）に示すように、そのリング部分４ａがヘッド１ａの外周縁からが外方に突出しているので、使用時にヘッド１ａの部分を握り込んでも、使い勝手がよい。
【００１８】
図５（Ａ）は、例えば洗顔後のすすぎ時に実施する使用者の動作手順（ミスト水流吐水を用いた例えば３０秒間のシャワー手順）を示している。図５（Ａ）において、（１）まず始めに額を左右に動かし、続いて（２）顔の中心部を上下に動かし、続いて（３）頬を大きく回すように動かし、続いて（４）首を上下に動かすミスト水流吐水を行う。このマッサージは、毎日３０秒間行うのが好ましい。
【００１９】
また、図５（Ｂ）は、例えばパックの後のすすぎ時に実施する使用者の動作手順（ミストミスト水流吐水を用いた例えば６０秒間のシャワー手順）を示している。図５（Ｂ）において、（１）まず始めに頬を引き上げるように動かし、続いて（２）鼻の両側面  を上下に動かし、続いて（３）頬を上下に分けて大きく回すように動かし、続いて（４）首の中心部を上がり、肩に沿って下ろすミスト水流吐水を行う。このマッサージは、少なくとも週１回５０〜７０秒間行うのが好ましい。
【００２０】
〔ピンポイント水流吐水モード〕
頭の毛穴に詰まった汚れを取り、シャワーのピンポイント水流吐水により適度な刺激を与えて頭皮の血行を促し、酸素を行きわたらすことで髪の成長を助けるため使用者は、前記フェイスケア用シャワーヘッドＤを用いて細く勢いのあるピンポイント水流ｃで頭をマッサージする。すなわち、ピンポイント水流吐水でスカルプケア、ヘッドスパが施される。なお、ピンポイント水流ｃは、スカルプ水流とも、また、スポット水流とも呼ばれる。この発明では、ピンポイント水流ｃとして、径φ（図３参照）が９ｍｍ〜１６ｍｍの散水範囲で給湯器の着火不具合を発生させない吐水量を維持している。この実施形態では、径φは１２ｍｍである。そして、その吐水量としてはこの発明では、３．０Ｌ／min （リットル／分）〜６．０Ｌ／min （リットル／分）が好ましく、この実施形態では５．２Ｌ／min （リットル／分）に設定している。また、動水圧としては０．１〜０．３ＭＰａが好ましい。また、この発明では、各ピンポイント水流吐水穴ｈは小孔で、各ピンポイント水流吐水穴ｈの孔径が０．５ｍｍ〜０．９ｍｍが好ましく、この実施形態では、各ピンポイント水流吐水穴ｈの孔径が０．７ｍｍに設定されており、これらをシャワーキャップ（シャワー板）２１の前面２１ａの中心のまわりに放射状に配置している。さらに、この発明では、ピンポイント水流吐水穴ｈの数は、３８個〜５３個が好ましく、この実施形態では例えば４４個である。
【００２１】
図６は、例えば毎シャンプー時に実施する使用者の動作手順（毎シャンプー時、シャンプーやリンスの流し方）を示している。図６において、（１）肩こりは頭部への血行を悪くするので、肩こり改善目的で肩のラインを上下する。この場合、６往復が好ましい。これにより、頭部の血行が促進されるとともに、疲労回復につながる。続いて（２）大人の頭部の重量は約５ｋｇあり、その重みでこの部位がうっ血しやすいのでこの改善目的で首の付け根をほぐすように小さく回転する。この場合、５箇所においてそれぞれ６回転するのが好ましい。これにより、頭部の血行が促進されるとともに、疲労回復につながる。続いて（３）日中はストレスや緊張で額から後ろの部位が前に引っ張られるので、この改善目的で額から後ろに向かって（頭頂部を通り後頭部まで）流す（６線×３回）。ここで６線とは、図６に示されているような６つの線を意味する（以下同様）。これにより、頭部の血行が促進されるとともに、起毛筋（髪の毛の根元を起こす筋肉）への刺激につながる。続いて（４）日中はストレスで歯を食いしばったりして、下に引っ張られているので、この改善目的で側頭部を下から上に流す（３線×３回）。ここで３線とは、図６に示されているような３つの線を意味する（以下同様）。これにより、頭皮の血行が促進されるとともに、フェイスラインのリフトアップ効果につながる。続いて（５）前傾した姿勢（猫背）によって後頭部が縮みやすいので、この改善目的で後頭部をサイドから中央に向かって流す（３線×３回）。これにより、頭皮の血行が促進される。続いて（６）首の付け根をほぐすように小さく回転する（６回転×５箇所）。続いて（７）肩のラインを上下する（６往復）。これにより、頭部の血行が促進されるとともに、疲労回復につながる。
【００２２】
〔通常のシャワー水流吐水モード〕
その後、使用者は、図４に示すように複数のシャワー穴ｆから吐出する通常のシャワー水流ａで顔及び頭を洗浄する。
【００２３】
図７〜図１０は、ボディケア用シャワー器具のシャワーヘッドＤ’を示し、このシャワーヘッドＤ’は、リンパを流す準備を行うためのストレート水流吐水とリンパドレナージュを行うためのフラット水流吐水と通常のシャワー水流吐水とに切換え可能に構成されている。なお、図７と図１０は、通常のシャワー水流吐水モードを示し、図１０において二点鎖線で示す流路Ｓ’は通常のシャワー水流ａ’を吐水する通常のシャワー水流吐水路である。図８はストレート水流吐水モードを示し、図８において点線で示す流路Ｔはストレート水流ｄを吐水するストレート水流吐水路である。図９はフラット水流吐水モードを示し、図９において実線で示す流路Ｆはフラット水流ｅを吐水するフラット水流吐水路である。図７〜図１０において、図１〜図６に示した符号と同一のものは、同一または相当物を示す。シャワーキャップ（シャワー板）２１は、ストッパー２３によってシャワーヘッド本体１の前面にストレート水流吐水状態とフラット水流吐水状態と通常のシャワー水流吐水状態の切換えが可能なように固定されている。そして、ストレート水流吐水モードでは、図８に示すように切換弁１０に設けられている弁孔ｑと切換ディスク１５に設けられている連通孔ｒを介して、水栓（図示せず）から供給される湯水または水の吐水流路ｉと、シャワーキャップ（シャワー板）２１の平面視円形の前面２１ａに形成されている単一のストレート水流吐水穴３０とを連通させるためのストレート水流吐水流路Ｔがシャワーヘッド本体１内に形成されている。また、フラット水流吐水モードでは、図９に示すように切換弁１０に設けられている弁孔ｑ’と切換ディスク１５に設けられている連通孔ｒ’を介して、水栓（図示せず）から供給される湯水または水の吐水流路ｉと、シャワーキャップ（シャワー板）２１の前記前面２１ａに形成されている単一のフラット水流吐水穴３１を連通させるためのフラット水流吐水流路Ｆがシャワーヘッド本体１内に形成されている。また、ボディを洗浄する通常のシャワー水流吐水モードでは、図９に示すように切換弁１０に設けられている弁孔ｑ’’と切換ディスク１５に設けられている連通孔ｒ’’を介して、水栓（図示せず）から供給される湯水または水の吐水流路ｉと、シャワーキャップ（シャワー板）２１の前記前面２１ａに形成されている複数のシャワー穴ｆを連通させるための通常のシャワー水流吐水流路Ｓ’がシャワーヘッド本体１内に形成されている。この場合、切換ディスク１５に設けられている連通孔ｒ’’の位置、は、図４に示すフェイスメイク用の場合の連通孔ｎ’’の位置とは異なる位置に形成されている。
【００２４】
〔ストレート水流吐水モード〕
これは、効果的にリンパドレナージュを行うための準備のためのモードである。すなわち、硬くなった脂肪やリンパに詰まった老廃物を強力な水流によって分解したり、ほぐすため使用者は、ボディケア用シャワー器具としてのボディケア用シャワーヘッドＤ’を用いてストレート水流吐水で、いわゆるセルライト・クラッシュを行う。この場合、太股だけでも、おなかだけなど使用者が気になるボディ部分のみの施術でもよい。そして、拡散現象で皮膚刺激を活性化するためのストレート水流ｄを形成するためシャワーキャップ（シャワー板）２１の前記前面２１ａは、四つの同一形状のコ字型形状辺部４１〜４４によって平面視十字型に形成された単一のストレート水流吐水穴３０を有する。例えばコ字型形状辺部４２は三辺Ｊ，Ｕ，Ｉよりなる。そして、この発明では、前記ストレート水流吐水穴３０の中心を通る穴径ｇは４．０〜６．０ｍｍで、５ｍｍが好ましく、また、例えばコ字型形状辺部４２を構成する前記三辺Ｊ，Ｕ，Ｉは同一長さであり、その長さは２〜３ｍｍであり、２．２ｍｍが好ましい。そして、この単一のストレート水流吐水穴３０を十字穴とすることでストレート水流ｄを適度に散らばらせることで、肌に適度な（強すぎず、弱すぎず）刺激を与えている。
【００２５】
図１１（Ａ）および図１１（Ｂ）は、それぞれ、上記実施形態において、リンパを流す準備のために実施する使用者の動作手順を示している。図１１（Ａ）、図１１（Ｂ）において、（１）まず始めに下半身全体の血行促進とむくみの改善のためつちふまずに回転するように当てる（６回転）。続いて（２）膝下の血行促進とむくみの改善のためふくらはぎの裏側と側面において膝に向かって流す（６回）。続いて（３）太股の血行促進と脂肪燃焼ならびにセルライトの改善のため太股の裏を外側から内側へ螺旋を描く（３線）。続いて（４）太股の血行促進とむくみの改善のため太股の裏側を下から上に流す（３回×３線）。続いて（５）ヒップラインのメイキングならびに冷えの改善のためヒップの下を往復する（６往復）。続いて（６）ヒップアップならびにセルライトの改善のためヒップを下から上に向かってヒップアップする（３回×３線）。続いて（７）ヒップラインのメイキングならびに冷えの改善のため腰骨の後ろで回転する（６回転）。続いて（８）太股の血行促進と脂肪燃焼ならびにセルライトの改善のため太股の前面で下から上に螺旋を描く（３線）。続いて（９）太股の血行促進とむくみの改善のため太股の前面を下から上に流す（３線）。続いて（１０）内蔵脂肪の活性化のためおなかで大腸の流れに沿って、螺旋を描く（右腰骨から右回りに左腰骨まで）。続いて（１１）ウエストのくびれのメイキングのため上半身を横に傾けて脇腹を伸ばした状態で、ジグザグしながら脇腹を往復し、おへそに向かう（３回）。
【００２６】
〔フラット水流吐水モード〕
これは、滞りがちなリンパをフラット（扇状）水流ｅで流し、むくみの改善・代謝や免疫力アップ・疲労回復を促すためのモードである。そして、フラット水流ｅの広がりはシャワーヘッドＤ’の柄（グリップ１ｂ）に垂直かつ扇状に広がる（リンパが流れる方向に一致する）のが好ましい。そして、そのために単一のフラット水流吐水穴３１をシャワーキャップ（シャワー板）２１の前記前面２１ａに設けている。このフラット水流吐水穴３１の形状は、平面視矩形であり、この発明では、前記フラット水流吐水穴３１の前記前面２１ａにおける径方向に沿う長辺ｋの長さは４〜６ｍｍであり、５ｍｍが好ましく、また、前記長辺ｋに直角な短辺ｊの長さは２〜３ｍｍであり、２．３ｍｍが好ましく、この単一のフラット水流吐水穴３１を平面視矩形穴とすることでフラット水流ｅを好ましい広がりにでき、むくみの改善・代謝や免疫力アップ・疲労回復を促すことができる。
【００２７】
図１２（Ａ）および図１２（Ｂ）は、それぞれ、上記実施形態において、リンパドレナージュを行うのために実施する使用者の動作手順を示している。図１２（Ａ）に示す場合は、この発明では５０秒間〜７０秒間のシャワーが好ましく、（この実施形態では６０秒間）、毎日行うのが好ましい。図１２（Ａ）において、（１）まず始めに鎖骨の下を左右の脇から中央に向かって流す（６回）。続いて（２）ふくらはぎの内側から膝裏に流す（６回）。続いて（３）うち膝から太股の付け根（そけい部）に流す（６回）。続いて（４）太股の付け根（そけい部）を往復する（６回）。続いて（５）腹部を回転する（６回転）。続いて（６）腕の内側を手首から脇に向かって流す（６）。
【００２８】
図１２（Ｂ）に示す場合は、６０〜１２０秒間（この例では９０秒間）のシャワーで、少なくとも週１回行うのが好ましい。図１２（Ｂ）において、（１）まず始めに鎖骨の下（鎖骨下リンパ節）を左右の腋から中央に向かって流す（６回）。続いて（２）太股の付け根（そけい部）を往復する（６往復）。続いて（３）つちふまずを足元から踵に向かって流す（６回）。続いて（４）膝下を膝裏に向かって流す（６回）。続いて（５）太股の付け根（そけい部）に向かって流す（６回）。続いて（６）太股の付け根（そけい部）を往復する（６往復）。続いて（７）下腹部を太股の付け根（そけい部）に向かって流す（４線×６回）。続いて（８）脇腹を腰骨から腋に向かって往復する（６往復）。続いて（９）バストの下を中央から腋に向かって流す（６回）。続いて（１０）腕の内側を手首から腋に向かって流す（６回）。続いて（１１）首の両側面を耳の下から鎖骨に向かって流す（６回）。続いて（１２）鎖骨の下（鎖骨下リンパ節）を左右の腋から中央に向かって流す（６回）。最後に再度全身からリンパが集合する鎖骨下に水流を当てる。
【００２９】
〔通常のシャワー水流吐水モード〕
その後、使用者は、図１０に示すように複数のシャワー穴ｆから吐出する通常のシャワー水流ａ’でボディを洗浄する。
【００３０】
なお、前記水栓に浄水機能を持たせたものを用いる場合は、髪の毛や肌には塩素除去されたシャワーが当たるので刺激がなくて好ましく、特にアトピーや肌の弱い使用者においては最適である。
【符号の説明】
【００３１】
Ｄ            フェイスケア用シャワーヘッド
１ａ          ヘッド
１ｂ          グリップ
１０          切換弁
１５          切換ディスク
２１          シャワーキャップ
Ｈ            ミスト水流吐水穴
ｈ            ピンポイント水流吐水穴
ｆ            通常のシャワー穴
ｂ            ミスト水流
ｃ            ピンポイント水流
ａ            通常のシャワー水流
Ｄ’          ボディケア用シャワーヘッド
ｄ            ストレート水流
ｅ            フラット水流
ａ’          通常のシャワー水流
【図１】
2013236795.tif 000003
【図２】
2013236795.tif 000004
【図３】
2013236795.tif 000005
【図４】
2013236795.tif 000006
【図５】
2013236795.tif 000007
【図６】
2013236795.tif 000008
【図７】
2013236795.tif 000009
【図８】
2013236795.tif 000010
【図９】
2013236795.tif 000011
【図１０】
2013236795.tif 000012
【図１１】
2013236795.tif 000013
【図１２】
2013236795.tif 000014